(57)【要約】【課題】色信号のダイナミックレンジを損なうことなく、偽色を防止することの可能なカラー補正装置、カラー補正方法、カラー補正プログラム及び前記カラー補正装置を備えたデジタルカメラを提供する。【解決手段】入力Ｒ信号にＲゲインＧａｉｎｒ  を乗算し、入力Ｂ信号にＢゲインＧａｉｎｂ  を乗算して色信号の利得を調整する利得調整手段１と、利得調整後のＲ信号及びＢ信号と入力Ｇ信号並びにＲゲインとＢゲインから、利得調整後のＲ信号及びＢ信号の飽和状態を判定する飽和状態判定手段２と、飽和状態判定手段から出力される飽和状態信号に応じて、利得調整後のＲ信号とＢ信号を補正する色信号補正手段３とでカラー補正装置を構成する。【選択図】        図１
2004328564.tif 000002
【特許請求の範囲】
【請求項１】
複数の色信号の各々の利得を調整する利得調整手段と、前記利得調整手段による利得調整後の各色信号が飽和状態にあるか否かを判定する飽和状態判定手段と、前記飽状態判定手段で飽和状態と判定された色信号について、この色信号とは異なる他の色信号のレベルに応じた補正を行う色信号補正手段とを備えていることを特徴とするカラー補正装置。
【請求項２】
前記色信号補正手段は、飽和状態にあると判定された色信号のレベルを、この色信号とは異なる、他の色信号のレベルに置き換えることを特徴とする請求項１に係るカラー補正装置。
【請求項３】
利得調整手段は、複数の色信号の内、所定の色信号を除く複数の色信号に対して利得の調整を行なうことを特徴とする請求項１又は２に係るカラー補正装置。
【請求項４】
前記飽和状態判定手段は、所定の色信号と、この所定の色信号に係る利得とから得られる飽和状態判定閾値を用い、この所定の色信号とは異なる色信号が、この飽和状態判定閾値より大きい場合に、この所定の色信号を飽和状態であると判定することを特徴とする請求項１〜３のいずれか１項に係るカラー補正装置。
【請求項５】
前記色信号補正手段は、飽和状態と判定された所定の色信号レベルを、所定の色信号を除く複数の色信号の内、最大となる色信号のレベルと置き換えることを特徴とする請求項１〜４のいずれか１項に係るカラー補正装置。
【請求項６】
前記色信号補正手段は、飽和状態と判定された所定の色信号のレベルを、所定の色信号を除く複数の色信号の平均値に置き換えることを特徴とする請求項１〜４のいずれか１項に係るカラー補正装置。
【請求項７】
前記利得調整手段、飽和状態判定手段、及び色信号補正手段は、複数の色信号として、赤色信号、緑色信号、及び青色信号を用いることを特徴とする請求項１〜６のいずれか１項に係るカラー補正装置。
【請求項８】
複数の色信号の各々の利得を調整する利得調整ステップと、前記利得調整ステップによる利得調整後の各色信号が飽和状態にあるか否かを判定する飽和状態判定ステップと、前記飽状態判定ステップで飽和状態と判定された色信号について、この色信号とは異なる他の色信号のレベルに応じた補正を行う色信号補正ステップとを備えていることを特徴とするカラー補正方法。
【請求項９】
前記色信号補正ステップは、飽和状態にあると判定された色信号のレベルを、この色信号とは異なる、他の色信号のレベルに置き換えることを特徴とする請求項８に係るカラー補正方法。
【請求項１０】
前記利得調整ステップは、複数の色信号の内、所定の色信号を除く複数の色信号に対して利得の調整を行なうことを特徴とする請求項８又は９に係るカラー補正方法。
【請求項１１】
前記飽和状態判定ステップは、所定の色信号と、この所定の色信号に係る利得とから得られる飽和状態判定閾値を用い、この所定の色信号とは異なる色信号が、この飽和状態判定閾値より大きい場合に、この所定の色信号を飽和状態であると判定することを特徴とする請求項８〜１０のいずれか１項に係るカラー補正方法。
【請求項１２】
前記色信号補正ステップは、飽和状態と判定された所定の色信号レベルを、所定の色信号を除く複数の色信号の内、最大となる色信号のレベルと置き換えることを特徴とする請求項８〜１１のいずれか１項に係るカラー補正方法。
【請求項１３】
前記色信号補正ステップは、飽和状態と判定された所定の色信号のレベルを、所定の色信号を除く複数の色信号の平均値に置き換えることを特徴とする請求項８〜１１のいずれか１項に係るカラー補正方法。
【請求項１４】
前記利得調整ステップ、飽和状態判定ステップ、及び色信号補正ステップは、複数の色信号として、赤色信号、緑色信号、及び青色信号を用いることを特徴とする請求項８〜１３のいずれか１項に係るカラー補正方法。
【請求項１５】
複数の色信号の各々の利得を調整する手順と、前記利得調整手順による利得調整後の各色信号が飽和状態にあるか否かを判定する手順と、前記飽状態判定手順で飽和状態と判定された色信号について、この色信号とは異なる他の色信号のレベルに応じた補正を行う手順とをコンピュータに実行させるためのカラー補正プログラム。
【請求項１６】
カラーフィルタが受光面に貼付され、該受光面に結像された被写体像を光電変換し、カラー画像信号として出力する撮像素子と、請求項１〜７のいずれか１項に記載のカラー補正装置とを具備し、該カラー補正装置が前記撮像素子からのカラー画像信号を入力信号として色信号処理を行うように構成されていることを特徴とするデジタルカメラ
【発明の詳細な説明】
【０００１】
【発明の属する技術分野】
この発明は、色信号の利得調整後に色補正が必要とされる画像関連装置及び画像関連プログラムにおけるカラー補正装置、カラー補正方法及びカラー補正プログラム、並びにそのカラー補正装置を用いたデジタルカメラに関する。
【０００２】
【従来の技術】
【特許文献１】特許第２５５７６２０号公報
【特許文献２】特開２０００−１３８０８号公報
【０００３】
近年、例えば撮像素子等の撮像手段によって得られたカラー画像信号を処理することによって、良好なカラー画像信号を得るカラー画像処理装置が様々な態様で用いられている。代表的なカラー画像処理としてホワイトバランス補正がある。ホワイトバランス補正とは、利得調整による色信号補正の一種で、被写体の白色が撮影時の光源によらず良好に再現されるように行われる処理であり、通常Ｒ信号とＢ信号にゲインを掛けることで実現する。
【０００４】
例えば、被写体が無彩色であり光源の色温度が低い場合、得られる画像信号は、図１３の被写体輝度と画像信号の関係を表す特性図に示すように、赤みがかったものになる。なお、各信号はあるレベルで飽和する。このとき、図１４に示すように、Ｒ信号及びＢ信号に対して適切なゲインを掛けて、ホワイトバランス処理を行うことで、光源の影響を取り除き被写体の色を忠実に再現することができる。しかし、各色毎に飽和レベルが異なってしまうため、高輝度部分で本来はない色（図１４に示す例ではシアン）が発生する。これを偽色と呼ぶ。
【０００５】
特許第２５５７６２０号公報及び特開２０００−１３８０８号公報においては、飽和レベルが最も小さい色を基準に閾値を算出し、図１５に示すように、他の色をこの閾値でクリップすることにより偽色を防止する手法が開示されている。
【０００６】
【発明が解決しようとする課題】
上記各公報開示の従来技術では、高輝度部分に発生する偽色を問題なく取り除くことが可能であり、広く使用されている。しかしながら、上記従来のカラー補正方式の更なる特性向上を実現するには、以下に述べるような課題がある。
【０００７】
すなわち、従来技術は、色信号を閾値でクリップすることで偽色を防止するものであり、色信号が本来持っている階調の全てを使い切るという観点について考慮されたカラー補正装置に関しては記載されていない。本願請求項１〜７に係る発明はこの観点に着目し、色信号のダイナミックレンジを損なうことなく、偽色を防止することの可能なカラー補正装置を提供することを目的とする。
【０００８】
また従来技術は、色信号を閾値でクリップすることで偽色を防止するものであり、色信号が本来持っている階調の全てを使い切るという観点について考慮されたカラー補正方法に関しては記載されていない。本願請求項８〜１４に係る発明はこの観点に着目し、色信号のダイナミックレンジを損なうことなく、偽色を防止することの可能なカラー補正方法を提供することを目的とする。
【０００９】
また従来技術は、色信号を閾値でクリップすることで偽色を防止するものであり、色信号が本来持っている階調の全てを使い切るという観点について考慮されたカラー補正プログラムに関しては記載されていない。本願請求項１５に係る発明はこの観点に着目し、色信号のダイナミックレンジを損なうことなく、偽色を防止することの可能なカラー補正プログラムを提供することを目的とする。
【００１０】
また従来技術は、色信号を閾値でクリップすることで偽色を防止するものであり、色信号が本来持っている階調の全てを使い切るという観点について考慮された機能を持つデジタルカメラに関しては記載されていない。本願請求項１６に係る発明はこの観点に着目し、ダイナミックレンジが損なわれていない良好な画像を出力する機能を有するデジタルカメラを提供することを目的とする。
【００１１】
【課題を解決するための手段】
上記課題を解決するため、請求項１に係る発明は、複数の色信号の各々の利得を調整する利得調整手段と、前記利得調整手段による利得調整後の各色信号が飽和状態にあるか否かを判定する飽和状態判定手段と、前記飽状態判定手段で飽和状態と判定された色信号について、この色信号とは異なる他の色信号のレベルに応じた補正を行う色信号補正手段とでカラー補正装置を構成するものである。
【００１２】
請求項２に係る発明は、請求項１に係るカラー補正装置において、前記色信号補正手段は、飽和状態にあると判定された色信号のレベルを、この色信号とは異なる、他の色信号のレベルに置き換えることを特徴とするものである。
【００１３】
請求項３に係る発明は、請求項１又は２に係るカラー補正装置において、利得調整手段は、複数の色信号の内、所定の色信号を除く複数の色信号に対して利得の調整を行なうことを特徴とするものである。
【００１４】
請求項４に係る発明は、請求項１〜３のいずれか１項に係るカラー補正装置において、前記飽和状態判定手段は、所定の色信号とこの所定の色信号に係る利得とから得られる飽和状態判定閾値を用い、この所定の色信号とは異なる色信号が、この飽和状態判定閾値より大きい場合に、この所定の色信号を飽和状態であると判定することを特徴とするものである。
【００１５】
請求項５に係る発明は、請求項１〜４のいずれか１項に係るカラー補正装置において、前記色信号補正手段は、飽和状態と判定された所定の色信号レベルを、所定の色信号を除く複数の色信号の内、最大となる色信号のレベルと置き換えることを特徴とするものである。
【００１６】
請求項６に係る発明は、請求項１〜４のいずれか１項に係るカラー補正装置において、前記色信号補正手段は、飽和状態と判定された所定の色信号のレベルを、所定の色信号を除く複数の色信号の平均値に置き換えることを特徴とするものである。
【００１７】
請求項７に係る発明は、請求項１〜６のいずれか１項に係るカラー補正装置において、前記利得調整手段、飽和状態判定手段、及び色信号補正手段は、複数の色信号として、赤色信号、緑色信号、及び青色信号を用いることを特徴とするものである。
【００１８】
上記請求項１〜７に係る発明に関する実施の形態には、第１の実施の形態が対応する。そして、このように構成されたカラー補正装置においては、色信号補正手段により色信号をクリップすることなく、飽和状態判定手段で飽和状態と判定された色信号のみを補正することによって偽色を抑制するため、色信号のダイナミックレンジを損なうことがないカラー補正装置を実現することができる。
【００１９】
請求項８に係る発明は、複数の色信号の各々の利得を調整する利得調整ステップと、前記利得調整ステップによる利得調整後の各色信号が飽和状態にあるか否かを判定する飽和状態判定ステップと、前記飽状態判定ステップで飽和状態と判定された色信号について、この色信号とは異なる他の色信号のレベルに応じた補正を行う色信号補正ステップとでカラー補正方法を構成するものである。
【００２０】
請求項９に係る発明は、請求項８に係るカラー補正方法において、前記色信号補正ステップは、飽和状態にあると判定された色信号のレベルを、この色信号とは異なる、他の色信号のレベルに置き換えることを特徴とするものである。
【００２１】
請求項１０に係る発明は、請求項８又は９に係るカラー補正方法において、前記利得調整ステップは、複数の色信号の内、所定の色信号を除く複数の色信号に対して利得の調整を行なうことを特徴とするものである。
【００２２】
請求項１１に係る発明は、請求項８〜１０のいずれか１項に係るカラー補正方法において、前記飽和状態判定ステップは、所定の色信号と、この所定の色信号に係る利得とから得られる飽和状態判定閾値を用い、この所定の色信号とは異なる色信号が、この飽和状態判定閾値より大きい場合に、この所定の色信号を飽和状態であると判定することを特徴とするものである。
【００２３】
請求項１２に係る発明は、請求項８〜１１のいずれか１項に係るカラー補正方法において、前記色信号補正ステップは、飽和状態と判定された所定の色信号レベルを、所定の色信号を除く複数の色信号の内、最大となる色信号のレベルと置き換えることを特徴とするものである。
【００２４】
請求項１３に係る発明は、請求項８〜１１のいずれか１項に係るカラー補正方法において、前記色信号補正ステップは、飽和状態と判定された所定の色信号のレベルを、所定の色信号を除く複数の色信号の平均値に置き換えることを特徴とするものである。
【００２５】
請求項１４に係る発明は、請求項８〜１３のいずれか１項に係るカラー補正方法において、前記利得調整ステップ、飽和状態判定ステップ、及び色信号補正ステップは、複数の色信号として、赤色信号、緑色信号、及び青色信号を用いることを特徴とするものである。
【００２６】
上記請求項８〜１４に係る発明に関する実施の形態には、第２の実施の形態が対応する。そして、このように構成されたカラー補正方法においては、色信号補正ステップにより色信号をクリップすることなく、飽和状態判定ステップで飽和状態と判定された色信号のみを補正することによって偽色を抑制するため、色信号のダイナミックレンジを損なうことがないカラー補正方法を実現することができる。
【００２７】
請求項１５に係る発明は、複数の色信号の各々の利得を調整する手順と、前記利得調整手順による利得調整後の各色信号が飽和状態にあるか否かを判定する手順と、前記飽状態判定手順で飽和状態と判定された色信号について、この色信号とは異なる他の色信号のレベルに応じた補正を行う手順とをコンピュータに実行させるようにカラー補正プログラムを構成するものである。
【００２８】
この請求項１５に係る発明に関する実施の形態には、第２の実施の形態が対応する。そして、このように構成されたカラー補正プログラムにおいては、色信号補正手順により色信号をクリップすることなく、飽和状態判定手順で飽和状態と判定された色信号のみを補正することにより偽色が抑制され、色信号のダイナミックレンジを損なうことのないカラー補正プログラムを実現することができる。
【００２９】
請求項１６に係る発明は、カラーフィルタが受光面に貼付され、該受光面に結像された被写体像を光電変換し、カラー画像信号として出力する撮像素子と、請求項１〜７のいずれか１項に記載のカラー補正装置とを具備し、該カラー補正装置が前記撮像素子からのカラー画像信号を入力信号として色信号処理を行うようにデジタルカメラを構成するものである。
【００３０】
この請求項１６に係る発明に関する実施の形態には、第３の実施の形態が対応する。そして、このように構成されたデジタルカメラにおいては、請求項１〜７のいずれか１項に記載のカラー補正装置を具備しているので、ダイナミックレンジが良好な画像を得ることが可能なデジタルカメラを実現することができる。
【００３１】
【発明の実施の形態】
次に、実施の形態について説明する。図１は、本発明に係る第１の実施の形態を示すブロック構成図である。本実施の形態では、入力の色信号としてＲＧＢの３次元の色成分値が入力されてくるものとする。図１において、１は入力Ｒ信号にＲゲインを乗算し、入力Ｂ信号にＢゲインを乗算することで色信号の利得を調整する利得調整手段である。２は利得調整手段１による利得調整後のＲ信号及びＢ信号と、入力Ｇ信号並びにＲゲインＧａｉｎｒ  とＢゲインＧａｉｎｂ  から、利得調整後のＲ信号及びＢ信号の飽和状態を判定する飽和状態判定手段である。３は飽和状態判定手段２から出力される飽和状態信号に応じて、利得調整後のＲ信号とＢ信号を補正する色信号補正手段である。
【００３２】
図１に示した実施の形態を、更に詳細なレベルで図２に基づいて説明する。図２において、入力ＲＧＢ信号は、それぞれ１０ビット（０〜１０２３）を想定している。４，５は利得調整のための利得調整手段１を構成する乗算回路である。６は、ＲゲインＧａｉｎｒ  ，ＢゲインＧａｉｎｂ  及び利得調整後のＲ信号とＢ信号から、飽和状態を判定するためのＲ信号用閾値とＢ信号用閾値を算出する回路である。７はＲ信号用閾値とＢ信号用閾値を用いて、利得調整後のＲ信号及びＢ信号の飽和状態を判定する回路であり、Ｒ信号セレクタ８  とＢ信号セレクタ９に入力するためのセレクト信号を生成する。なお、閾値算出回路６と飽和状態判定回路７とで飽和状態判定手段２を構成しており、セレクタ８，９で色信号補正手段３を構成している。
【００３３】
次に、この第１の実施の形態の動作について説明する。説明のため入力ＲＧＢ信号は、図３に示す白黒グラデーションパターンの被写体を、撮像素子で光電変換した信号とする。このとき、入力ＲＧＢ信号は被写体に当てられた光源の色の影響により、図４に示すような彩度がある信号になる。入力ＲＧＢ信号の内、Ｒ信号とＢ信号に対して、乗算回路４と乗算回路５を用いて適切なＲゲインＧａｉｎｒ  とＢゲインＧａｉｎｂ  を乗算し、利得を調整することで、図５に示すように、ＲＧＢ信号は被写体と同じ色信号、すなわち彩度がない信号となる。
【００３４】
Ｒ信号用閾値をＴｈｒ  ，Ｂ信号用閾値をＴｈｂ  ，利得調整後のＲ信号をＲ，利得調整後のＢ信号をＢ，ＲゲインをＧａｉｎｒ  、ＢゲインをＧａｉｎｂ  とすると、閾値算出回路６における閾値算出式は、以下の式（１），（２）で表される。
Ｔｈｒ  ＝ｍＲ＋１０２３（１−ｍ）Ｇａｉｎｒ    ・・・・・・・・（１）
Ｔｈｂ  ＝ｍｂ＋１０２３（１−ｍ）Ｇａｉｎｂ    ・・・・・・・・（２）
但し、ｍは閾値の傾きを定義するためのパラメータである。また、各閾値Ｔｈｒ  及びＴｈｂ  は、１０２３でクリップされる。
【００３５】
利得調整後（ホワイトバランス後）のＲＧＢ信号と、閾値の関係を図６に示す。本実施の形態において、Ｒ信号用あるいはＢ信号用の閾値は、図７に示すように、Ｒ信号あるいはＢ信号の関数であり、傾きｍの中間の領域を有する。図８に閾値が傾きを持たない場合のグラフを示す。また、図９に閾値が傾きを持つ場合のグラフを示す。図８に示すように、閾値が傾きを持たない場合、Ｒ信号がＲ′近傍の値を持ち、且つＧ信号及びＢ信号がそれぞれＧ′及びＢ′近傍である画像領域を処理する場合、図８に示す閾値では、Ｒ信号のノイズによる揺らぎにより閾値の変化量が大きいため、元々ほぼ一様な領域であるにもかかわらず、近傍画素の飽和状態の判定が異なることによるノイズの強調が引き起こされる。一方、図９に示す閾値では、Ｒ信号がノイズにより揺らいだとしても、閾値の変化量が小さいため、ノイズは強調され難い。
【００３６】
次に、飽和状態判定回路７について説明する。Ｒ信号の飽和状態判定関数をＦＲ  ，Ｂ信号の飽和状態判定関数をＦＢ  とすると、飽和状態判定回路７における飽和状態判定式は、以下の式（３），（４）で表される。
2004328564.tif 000003
【００３７】
飽和状態判定回路７は、飽和と判定した色信号に対応するセレクト信号に、１を出力する。セレクタ８は、セレクト信号が１の場合、Ｇ信号と利得調整後のＢ信号の内、大きい方を出力Ｒ信号として出力する。セレクタ信号が０の場合（非飽和）、利得調整後のＲ信号を出力Ｒ信号として出力する。セレクタ９は、セレクト信号が１の場合、Ｇ信号と利得調整後のＲ信号の内、大きい方を出力Ｂ信号として出力する。セレクタ信号が０の場合、利得調整後のＢ信号を出力Ｂ信号として出力する。したがって、図６に示すようなＲＧＢ信号と閾値の関係がある場合、図１０に示すように、出力Ｒ信号はＧ信号及び利得調整後のＢ信号と一致し、高輝度での偽色が抑圧される。また、ここでは説明のために被写体を白黒グラデーションパターンとしたが、カラーであったとしても前述の作用により高輝度での偽色が抑圧される。
【００３８】
なお、この発明に係る第１の実施の形態の各構成は、当然、各種の変形、変更が可能である。例えば、セレクタ８はセレクト信号が１の場合、Ｇ信号と利得調整後のＢ信号の平均を出力Ｒ信号として出力し、セレクタ９はセレクト信号が１の場合、Ｇ信号と利得調整後のＲ信号の平均を出力Ｂ信号として出力するとすることができ、またセレクタ８及びセレクタ９に入力されるＲＧＢ信号は、１以下の係数を乗算した後に、セレクタ８及びセレクタ９に入力されるようにすることができる。
【００３９】
次に、本発明に係る第２の実施の形態について説明する。この第２の実施の形態は、本発明に係るカラー補正方法に関するもので、その方法を説明するためのフローチャートを図１１に示す。このフローチャートは、図２の第１の実施の形態で示した回路の動作と等価な動作を行うものを示している。ステップＳ１０にて、入力Ｒ信号Ｒｉｎ及び入力Ｂ信号Ｂｉｎに対して、それぞれゲインＧａｉｎｒ  ，Ｇａｉｎｂ  を乗算することで利得調整を行い、ゲイン調整後のＲ信号Ｒｔｍｐ  ，Ｂ信号Ｂｔｍｐ  を得る。次いで、ステップＳ１１にて、Ｒ信号用閾値Ｔｈｒ  とＢ信号用閾値Ｔｈｂ  を算出する。次いで、ステップＳ１２にて上記（３）式に基づくＲ信号の飽和状態を判定する。Ｒ信号が飽和状態と判定された場合、ステップＳ１４にてＲ信号の補正を行って出力Ｒ信号Ｒｏｕｔ  を出力し、飽和状態でないと判定された場合は、ステップＳ１３にて利得調整後のＲ信号Ｒｔｍｐ  を出力Ｒ信号Ｒｏｕｔ  として出力する。次いで、ステップＳ１５にて上記（４）式に基づくＢ信号の飽和状態を判定する。Ｂ信号が飽和状態と判定された場合、ステップＳ１７にてＢ信号の補正を行って出力Ｂ信号Ｂｏｕｔ  を出力し、飽和状態でないと判定された場合は、ステップＳ１６にて利得調整後のＢ信号Ｂｔｍｐ  を出力Ｂ信号Ｂｏｕｔ  として出力する。
【００４０】
上記第２の実施の形態として示したカラー補正方法は、図２に示した第１の実施の形態における各構成要素を用いた形態で説明したが、このカラー補正方法は、図２に示したハードウエアによる処理を用いずに、図１１に示すフローチャートを基に、この処理をプログラム化し、コンピュータに実行させるソフトウエア処理とすることも、勿論可能である。
【００４１】
次に、本発明に係る第３の実施の形態について、図１２を用いて説明する。図１２は、図２に示したカラー補正装置を適用したデジタルカメラの構成例を示すブロック図である。図１２において、２１はカラーフィルタが受光面に貼付されたＣＣＤ等の撮像素子であり、２２はＣＣＤ撮像素子２１から出力されるアナログデータをデジタルデータに変換するＡ／Ｄ変換回路である。２３はＣＣＤ撮像素子２１から入力されたデータをＲＧＢに変換する回路である。２４は図２に示したカラー補正装置であり、ここで高輝度で発生する偽色を抑制する。２５は画像データをメディアへ記録するための記録回路であり、２７は画像データをＣＲＴ等の表示装置に表示するための表示回路である。なお、２６は上記各部を制御するための上位コントローラである。
【００４２】
【発明の効果】
以上実施の形態に基づいて説明したように、請求項１〜７に係る発明によれば、色信号補正手段により色信号をクリップすることなく、飽和状態判定手段で飽和状態と判定された色信号のみを補正することによって偽色を抑制するようにしているので、色信号のダイナミックレンジを損なうことのないカラー補正装置を実現することができる。また請求項８〜１４に係る発明によれば、色信号補正ステップにより色信号をクリップすることなく、飽和状態判定ステップで飽和状態と判定された色信号のみを補正することによって偽色を抑制するようにしているので、色信号のダイナミックレンジを損なうことのないカラー補正方法を実現することができる。また請求項１５に係る発明によれば、色信号補正手順により色信号をクリップすることなく、飽和状態判定手順で飽和状態と判定された色信号のみを補正することにより偽色が抑制され、色信号のダイナミックレンジを損なうことのないカラー補正プログラムを実現することができる。また請求項１６に係る発明によれば、請求項１〜７のいずれか１項に記載のカラー補正装置を備えているので、ダイナミックレンジが良好なカラー補正処理された画像を得ることが可能なデジタルカメラを実現することができる。
【図面の簡単な説明】
【図１】本発明に係るカラー補正装置の第１の実施の形態を示す概略ブロック図である。
【図２】図１に示した第１の実施の形態の詳細な回路構成を示すブロック図である。
【図３】図１に示した第１の実施の形態の動作説明用の白黒グラデーションパターンの被写体を示す図である。
【図４】図３に示した被写体を撮像したときのパターン各部のＲＧＢ信号レベルを示す図である。
【図５】図４に示した入力ＲＧＢ信号を利得調整した後のＲＧＢ信号レベルを示す図である。
【図６】利得調整後のＲＧＢ信号と閾値との関係を示す図である。
【図７】傾きの中間領域を有するＲ信号用閾値を示す図である。
【図８】閾値に傾きがない場合の態様を示す図である。
【図９】閾値が傾きを持つ場合において、ノイズによる信号の揺らぎと閾値の変化量との対応関係を示す図である。
【図１０】図６に示すＲＧＢ信号と閾値の関係がある場合において、色信号補正処理がなされた態様を示す図である。
【図１１】本発明の第２の実施の形態に係るカラー補正方法を説明するためのフローチャートである。
【図１２】本発明の第３の実施の形態に係るデジタルカメラの構成例を示すブロック図である。
【図１３】被写体が無彩色で光源の色温度が低い場合に得られる画像信号を示す図である。
【図１４】図１３に示した画像信号に対してホワイトバランス処理をした後の画像信号を示す図である。
【図１５】従来の偽色防止手法により処理した態様を示す図である。
【符号の説明】
１  利得調整手段
２  飽和状態判定手段
３  色信号補正手段
４，５  乗算回路
６  閾値算出回路
７  飽和状態判定回路
８，９  セレクタ
２１  ＣＣＤ撮像素子
２２  Ａ／Ｄ変換回路
２３  ＲＧＢ変換回路
２４  カラー補正装置
２５  記録回路
２６  上位コントローラ
２７  表示回路
【図１】
2004328564.tif 000004
【図２】
2004328564.tif 000005
【図３】
2004328564.tif 000006
【図４】
2004328564.tif 000007
【図５】
2004328564.tif 000008
【図６】
2004328564.tif 000009
【図７】
2004328564.tif 000010
【図８】
2004328564.tif 000011
【図９】
2004328564.tif 000012
【図１０】
2004328564.tif 000013
【図１１】
2004328564.tif 000014
【図１２】
2004328564.tif 000015
【図１３】
2004328564.tif 000016
【図１４】
2004328564.tif 000017
【図１５】
2004328564.tif 000018